(57)【特許請求の範囲】
【請求項１】
複数の太陽電池セル（ｉ、ｊ）を備える太陽電池モジュールの為の裏面接続層であって、
前記複数の太陽電池セル（ｉ、ｊ）は１つ以上の裏面接触部を有する形式であり、
前記複数の太陽電池セル（ｉ、ｊ）は、直列に接続された太陽電池セル（ｉ、ｊ）の所定数のストリング（３）で分離され、各々の直列のストリング（３）は、最初の太陽電池セルおよび最後の太陽電池セルを備え、バイパスダイオードは、前記所定数のストリング（３）の各々に対して並列に接続可能であり、
前記所定数のストリング（３）は第１ストリング、第２ストリング、第３ストリングを含み、
前記複数の太陽電池セル（ｉ、ｊ）に対する接触部は、前記裏面接続層に設けられ、前記所定数のストリング（３）の各々の前記最初の太陽電池セルおよび前記最後の太陽電池セルに対して直接アクセス可能な電気的接続部が太陽電池セル（ｉ、ｊ）のツーバイツー配置の一部と重なる裏面接続層の一部に設けられるように、配置され、
太陽電池セル（ｉ、ｊ）のツーバイツー配置は、前記第１ストリングの前記最初の太陽電池セルおよび最後の太陽電池セルと、前記第３ストリングの前記最初の太陽電池セルおよび最後の太陽電池セルとを備え、
前記第２ストリングの前記最初の太陽電池セルに対する接続部は、前記第１ストリングの前記最後の太陽電池セルを経て設けられ、前記第２ストリングの前記最後の太陽電池セルに対する接続部は、前記第３ストリングの前記最初の太陽電池セルを経て設けられる、裏面接続層。
【請求項２】
前記裏面接続層の前記一部は、太陽電池セル（ｉ、ｊ）の前記ツーバイツー配置の４つの隣接した角領域と重なる、請求項１に記載の裏面接続層。
【請求項３】
前記裏面接続層は、太陽電池セル（ｉ、ｊ）の前記ツーバイツー配置の前記一部に、複数の接続箱接続部およびバイパスダイオード接続部（５）を更に備える、請求項１または２に記載の裏面接続層。
【請求項４】
前記裏面接続層は、前記所定数のストリング（３）の各々に対して並列に接続されるバイパスダイオードを備える、請求項１，２または３に記載の裏面接続層。
【請求項５】
前記ストリング（３）の所定数が、３である、請求項１−４のいずれか一項に記載の裏面接続層。
【請求項６】
前記裏面接続層は、太陽電池（ｉ、ｊ）の６×１２配列と接続するように配置される、請求項１−５のいずれか一項に記載の裏面接続層。
【請求項７】
前記裏面接続層は、太陽電池（ｉ、ｊ）の６×１０配列と接続するように配置される、請求項１−５のいずれか一項に記載の裏面接続層。
【請求項８】
前記ストリング（３）の所定数が、４である、請求項１−４のいずれか一項に記載の裏面接続層。
【請求項９】
前記裏面接続層の一部として設けられる１つ以上のバイパスダイオード導体（６）を更に備える、請求項１−８のいずれか一項に記載の裏面接続層。
【請求項１０】
バイパスダイオード接続経路（６）は、前記２つの隣接した太陽電池セル（ｉ、ｊ）の前記複数の裏面接触部の外部接触部の周囲に曲折パターンで、２つの隣接した太陽電池（ｉ、ｊ）のエッジ方向に沿って、前記裏面接続層に形成される、請求項２−８のいずれか一項に記載の裏面接続層。
【請求項１１】
請求項１−１０のいずれか一項に記載の裏面接続層および複数の太陽電池セル（ｉ、ｊ）を備える、太陽電池モジュール。
【発明の詳細な説明】
【発明の分野】
【０００１】
本発明は、１つ以上の裏面接触部を有する形式の複数のＰＶセルを備える太陽電池モジュールの為の（フォイルや基板のような）裏面接続層に関する。複数のＰＶセルは、直列接続されたＰＶセルの所定数のストリングで分離され、バイパスダイオードが所定数のストリングの各々に対して並列に接続可能である。
【０００２】
【従来技術】
【０００３】
国際特許公報（WO2013/182955）は、バックコンタクト型ソーラーセルを備える太陽電池モジュールの為のバックシートを開示する。導電性バックシートは、モジュールのソーラーセルの電極に対する接続回路として形成されて設けられる。
【０００４】
一般的なＰＶパネル実施例において、セル領域の外側に配置されるクロスコネクタは、ハンダ付けされるＨパターンモジュール産業で広く使用される、接続箱にセルを接続できる。そのような解決策は、モジュールの領域／サイズを大きくし、美観を損ない、ＰＶパネルの製造の際になされる取り扱いや接触部の数を増加させる。
【０００５】
国際特許公報（WO2009/134939）は、モノリシックモジュールアセンブリ技術を用いて製造される太陽電池モジュールを開示する。開示された実施形態は、太陽電池モジュールのセルが、６×１０配列で配置され、非線形回線経路によって相互接続されている。
【発明の概要】
【０００６】
本発明は、追加配線や回路のような太陽電池モジュールに対する更なる僅かな修正で、バイパス回路の組込みを可能にする太陽電池モジュールの為の裏面接触層の改善を目的とする。
【０００７】
本発明によると、前述された前文に従う裏面接続層が提供され、ここで、所定数のストリングは３以上であり、複数のＰＶセルに対する接続部が裏面接続層に設けられ、これらは、所定数のストリングの各々の最初のＰＶセルおよび最後のＰＶセルに対する外部電気接続部が、ＰＶセルのツーバイツー配置の一部と重複する裏面接続層の一部に設けられるように位置される。これが、追加の配線や回路を要することなく、バイパスダイオード機能を有するＰＶモジュールの簡単な統合および製造を可能にする。
【図面の簡単な説明】
【０００８】
以下、添付図面を参照して、多くの例示的実施形態を用いて、より詳細に本発明を説明する。
【図１】図１は、従来の具体例に従う、複数のストリングを備えた太陽電池パネルの概略図を示す。
【図２ａ】図２ａは、本発明の実施形態に従って配置された、複数のストリングを備えた太陽電池パネルの概略図を示す。
【図２ｂ】図２ｂは、本発明の実施形態に従って配置された、複数のストリングを備えた太陽電池パネルの概略図を示す。
【図３】図３は、本発明の更なる実施形態に従って配置された、複数のストリングを備えた太陽電池パネルの概略図を示す。
【図４】図４は、本発明の更なる実施形態に従って配置された、複数のストリングを備えた太陽電池パネルの概略図を示す。
【図５】図５は、本発明の更なる実施形態に従って配置された、複数のストリングを備えた太陽電池パネルの概略図を示す。
【図６】図６は、本発明の更なる実施形態に従って配置された、複数のストリングを備えた太陽電池パネルの概略図を示す。
【図７】図７は、本発明の更なる実施形態に従って配置された、複数のストリングを備えた太陽電池パネルの概略図を示す。
【図８】図８は、本発明の更なる実施形態に従って配置された、複数のストリングを備えた太陽電池パネルの概略図を示す。
【図９】図９は、本発明の更なる実施形態に従って配置された、複数のストリングを備えた太陽電池パネルの概略図を示す。
【例示的実施形態の詳細な説明】
【０００９】
複数のＰＶセルを備えた太陽電池モジュール内の２つのセルが隣接し、両方のセルがソーラーセルの裏面に接触部を有し、その接触部の幾つかが、これらのセルの隣接するエッジに沿って位置される場合、これらのセルの間には、接合箱に向かって延びるＣｕストリップの為の余裕はほとんどない。２つの隣接するセルの接触部の間の空間は小さい。さらに、ストリップを製造する為には、概して１ｍｍの絶縁スクライブが必要であり、これらも同様に、接触部の間の導電性材料を「侵蝕する」（'eats' away）する。その時、これは、概して９Ａの電流を通過させる非常に小さなストリップになるので、高電力の浪費に至り、これは、デバイスにとっては有害であり、日陰状態の下で、モジュール動作の不利な効果を有する。
【００１０】
図１は、裏面接続層（シートまたは基板）に接触する、パネル裏面に付けられた接合箱４を有する、６×１０配列セルｉ、ｊの、典型的な相互接続レイアウトを示す。裏面接続層において、隣接セルｉ、ｊの接続点は、接続層３の接続部を使用して直列に接続され、これらは、図１の簡略化された図で、６×１０配列のカラムを接続する直線として表示されている。ＰＶセルｉ、ｊの（この場合は３つの）ストリングは、相互接続２を使用して接合箱４にもたらされている。
【００１１】
本発明の実施形態によると、バイパスダイオードの為の接触部は、セルの直列相互接続のトポロジーを再構成することによって、モジュールのアクティブ領域の外側のＣｕ相互接続、絶縁スクライブ、Ｃｕストリップを有することなく、接合箱から直接アクセスできる。一般的な言葉では、裏面接続層が設けられ、複数のＰＶセルｉ、ｊが、直列接続されたＰＶ−セルｉ、ｊの、所定数（３以上）のストリング３において分離され、バイパスダイオードが所定数のストリング３の各々と並列に接続可能になる。複数のＰＶセルｉ、ｊに対する接触部は裏面接続層に設けられ、これらの接触部は、所定数のストリング３の各々の最初のＰＶセルおよび最後のＰＶセルと直接アクセス可能な（或いは外部の）電気接続部が、ＰＶセルｉ、ｊのツーバイツー配置の一部と重複する裏面接続層の一部に設けられるように位置される。
【００１２】
図２ａの実施形態において、６×１０配列ｆのセルｉ、ｊに沿って目盛りをとるとき、接合箱４は、４つのセル、すなわち、セル（２，５）；セル（２，６）；セル（３，５）；セル（３，６）にわたって位置される。全ての６０個のセルは、図２ａにストリングラインによって表示されるように、３個のストリングで直列に接続されている。この構成は、各ストリングは、２０個のセルｉ、ｊを備えるように作成可能である。
【００１３】
より一般的な用語では、裏面接続層の一部が、ＰＶセルｉ、ｊのツーバイツー配置の隣接した４つの角の領域と重複する。接続層レイアウトの適した配置に対して、必要な重複は、例えば、ＰＶセルｉ、ｊ当たりセルｉ、ｊ表面の僅か４分の１にすぎない。
【００１４】
実施形態における裏面接続層は、更なる実施形態において、ＰＶセルｉ、ｊのツーバイツー配置の一部で、複数の接続箱の接続部およびバイパスダイオード接続部５を更に備え、更なるＰＶモジュールまたはインバータ／コンバータに向かう）接続箱のリード線およびバイパスダイオードのリード線の接続を可能にする。バイパスダイオードは、部分シェーディングに対してＰＶモジュールを低感度にすることを可能にする。
【００１５】
また更なる実施形態において、裏面接続層は、所定数のストリング３の各々に対して並列に接続されたバイパスダイオードを備える。バイパスダイオードは、さらに、（ＰＶモジュールカプセル内にバイパスダイオードを含めることを可能にする）裏面接続層に組み込まれてもよく、或いは、裏面接続層と一体化されてもよい。
【００１６】
図２ｂには、直列接続されたセルｉ、ｊのストリングの所定数が３である代替えの配置が示されている。接合箱４は、図２ａの実施形態に似たように位置されるが、図２ａの実施形態におけるストリング値の２０個のセルの等分割と比較すると、ストリング当たりのセルｉ、ｊの数は現時点では異なり、ストリング当たり（１８−１８−２４）、等しくない。
【００１７】
本発明の実施形態は、今日主に使用される構成（６×１０および６×１２配列のセルｉ、ｊ）に適用可能である。
【００１８】
本発明の他の変形例は、図３（セル(3,1); (4,1); (3,2); (4,2);３つの不等ストリング22-17-21における接続箱）、図４（セル(3,5); (4,5); (3,6); (4,6);３つの不等ストリング20-21-19における接続箱）、図５（セル(1,5); (2,5); (1,6); (2,6); ３つの等しいストリング20-20-20における接続箱）、図６（セル(3,3); (4,3); (3,4); (4,4);３つの等しいストリング20-20-20における接続箱）に示されている。
【００１９】
更なる実施形態において、ストリングの数が４であり、より小さなストリングの使用を可能にし、追加のバイパスダイオードを犠牲にして、より良好な部分シェーディング性能がある。
【００２０】
４つ以上のストリングを満足させるため、追加の導電性経路設定を適用して、一般的に、接合箱４が置かれたセルｉ、ｊのツーバイツー配列配置の外側で、必要とされるバイパスダイオードの接続を可能にすることが、しばしば必要になる。そのために、裏面接続層は、裏面接続層の一部として設けられた１つ以上のバイパスダイオード導体６を更に備える。この構成の第１の例示的実施形態が図７に示されている。接続ボックス４はＰＶモジュールの中間、すなわち、セル(3,5); (4,5); (3,6); (4,6)に置かれる。追加のバイパスダイオード導体６は、接続点７に対し上方および下方に続く裏面接続層に設けられる。ストリング３には、接続点７（すなわち、セル(3,1)および (4,1)の間、セル(3,10) および (4,10)の間）の近くに追加の接続点８が設けられ、ＰＶモジュールの最初のストリングおよび最後のストリングを迂回する為のバイパスダイオードの接続を可能にする。他のバイパスダイオードは、接合箱４における接続部５を使用して接続されてもよい。
【００２１】
図８は、図７の実施形態の代替え配置を示し、（すなわち、それぞれ、セル(1,5)および (1,6)の交点、セル(6,5)および (6,6)の交点における追加の接続点８に近い接合箱４から）バイパスダイオード導体６が水平に接続点７まで続く。図９は、（すなわち、それぞれ、セル(3,5) および (4,5)の交点、セル(3,8)および(4,8)の交点における追加の接続点８に近い接合箱４から）さらに短い長さのバイパスダイオード導体６を備えた実施形態を示す。
【００２２】
図９の実施形態におけるストリング３の歯状曲折パターン（すなわち、外部でなくて内部を指す歯状曲折）も同様に反映されてもよいことに留意されたい。
【００２３】
バイパスダイオード導体６は、裏面接続層における複数のパターンを接続する単純な直線でもよい。しかしながれ、更なる実施形態において、バイパスダイオード接続経路６は、２つの隣接したセル（ｉ、ｊ）の複数の裏面接触部の外部接触部の周りで曲折パターンを用いて、２つの隣接したセル（ｉ、ｊ）のエッジ方向に沿って裏面接続層に形成される。より広い幅、したがって、電流容量を有するバイパスダイオード導体６の使用を可能にするので、特に、バイパスダイオード接続部が完全に接続箱内部に一体化される、メタルラップスルー（ＭＷＴ）セル、エミッタラップスルー（ＥＷＴ）セル、交差指型背面接触（ＩＢＣ）セルを含む、バックコンタクト型セルを可能にする金属フォイルベースモジュールとしてＰＶモジュールを提供する場合、これは非常に有利である。
【００２４】
上記観点において、前述された実施形態の一つにしたがって、裏面接続層を有するＰＶモジュールが提供されてもよい。換言すると、ＰＣＢ状（Ｃｕ）フォイル（裏面接続層）を経た直列接続でバックコンタクト型ソーラーセルを有するＰＶモジュールの構成が提供される。セルｉ、ｊの構成／トポロジーは、直列接続において最初のセルおよび最後のセルを含む４つのセルｉ、ｊが単一の角の点で結合する。その角における４つのセルｉ、ｊは、セル３の３つのストリングを形成する。接合箱４は、モジュールの外側に配置される。バックシートの開口は、バイパスダイオードを含む接続箱端子を、対応するＣｕフォイル片に直結することを可能にし、３つのストリングは、保護されるバイパスダイオードである。多くの変形例がセルの直列相互接続のトポロジーを再構成することが可能であり、接触されるべき全てのセルは、図２−９に説明され前述された実施形態によって例証されるように、同一の角に置かれる。
【００２５】
本発明の実施形態は、図に示されるように、数多くの例示的実施形態を参照して前述されている。一部の部品や要素の変形および代替え実施例は、可能であり、添付請求項で規定される保護範囲に含まれる。
【図１】
0006630886.tif 000002
【図２ａ】
0006630886.tif 000003
【図２ｂ】
0006630886.tif 000004
【図３】
0006630886.tif 000005
【図４】
0006630886.tif 000006
【図５】
0006630886.tif 000007
【図６】
0006630886.tif 000008
【図７】
0006630886.tif 000009
【図８】
0006630886.tif 000010
【図９】
0006630886.tif 000011